(57)【特許請求の範囲】
【請求項１】
地板と、文字板と、前記地板と前記文字板の間に配設される太陽電池と、当該太陽電池と前記地板の間に配設される表示機構部とを有し、前記地板に設けられた凸部と、前記太陽電池に設けられた位置決め部とにより前記太陽電池の位置規制を行い、前記太陽電池及び前記文字板には前記表示機構部に対応する窓部を有する太陽電池付電子時計において、前記地板は前記凸部を少なくとも２つ有し、前記太陽電池は前記凸部にそれぞれ対応する位置規制部と更に少なくとも１つの第二位置規制部を有するとともに、該第二位置規制部は前記凸部の所定角度離れた位置に設けられていることを特徴とする太陽電池付電子時計。
【請求項２】
前記地板は前記文字板の受け面となる凸部を更に有している事を特徴とする請求項１記載の太陽電池付電子時計。
【請求項３】
少なくとも一つの前記第二位置規制部は、隣接する前記凸部に対応する位置規制部と共通であることを特徴とする請求項１または２のいずれか一つに記載の太陽電池付電子時計。
【請求項４】
前記太陽電池の電極と接続する回路基板を有し、前記太陽電池の電極が前記所定角度に対応した大きさを有することを特徴とする請求項1乃至３のいずれか一つに記載の太陽電池付電子時計。
【請求項５】
前記太陽電池の電極と接続する回路基板を有し、前記地板に、前記太陽電池の電極と前記回路基板とを導通する導通部材の位置規制形状を少なくとも二組有する事を特徴とする請求項１乃至３のいずれか一つに記載の太陽電池付電子時計。
【請求項６】
前記導通部材の位置規制形状が、前記太陽電池の電極と前記所定角度離れた位置に設けられている事を特徴とする請求項５記載の太陽電池付電子時計。
【請求項７】
前記少なくとも二組の導通部材の位置規制形状に対応した位置に前記太陽電池の電極と導通する前記回路基板の導通部を有する事を特徴とする請求項５又は６のいずれか一つに記載の太陽電池付電子時計。
【請求項８】
前記少なくとも二組の導通部は、前記所定角度だけ離れた位置に設けられていることを特徴とする請求項７記載の太陽電池付電子時計。
【請求項９】
前記表記機構部は、日付を表示する回転部材である日板又は曜日を表示する回転部材である曜板で構成されており、更に窓部は日又は曜表示窓であることを特徴とする請求項１乃至８のいずれか一つに記載の太陽電池付電子時計。
【請求項１０】
前記表示機構部は、時計中心以外に配置された小針で構成されており、前記窓部は小針の中心軸貫通穴であることを特徴とする請求項１乃至８のいずれか一つに記載の太陽電池付電子時計。
【発明の詳細な説明】
【０００１】
【発明の属する技術分野】
本発明は、太陽電池付電子時計の構造に関するものである。
【０００２】
【従来の技術】
従来、時計はその時刻の表示形態として、２本或いは３本の指針によって時刻を表示するアナログ方式と、液晶やＬＥＤに代表される電子光学的表示装置によって時刻を表示するデジタル方式、或いは両者を組み合わせたコンビネーション方式に大別できることは周知である。また、このうちアナログ方式の時計の中でも、例えば秒針やカレンダーの有無、更にはタイマー機能、クロノグラフ機能やアラーム機能、月齢表示機能等に代表される従属的な計時機能の有無を、ユーザがそれぞれの好みに合わせて選択できることも周知である。
【０００３】
このうち、通常の時刻以外に日付を表示するカレンダー機構を付加したアナログ方式の時計の場合、日付表示位置は３時の位置が多いが、４時位置や６時位置に日付の表示位置を配置した時計もあり、ユーザがそれぞれの好みに合わせて選択できることも周知である。
【０００４】
また、時計はその駆動電源として、従来は手巻き式や、充電不可能な一次電池を利用する物が主流であったが、近年充電可能な二次電池を利用した、電池交換不要の充電式時計が普及してきている。
【０００５】
駆動電源として二次電池を活用した充電式時計の例としては、光を受光することによって発電する太陽電池を利用した太陽電池付時計、腕の動きにより錘を回転させて発電する自動巻発電時計などが挙げられる。
【０００６】
このうち、太陽電池を電源として使用したカレンダー付アナログ電子時計の基本構造を、図を用いて以下に説明する。図８は従来のカレンダー機構付の太陽電池付アナログ時計の要部平面図、図９は要部断面図である。
【０００７】
図８において、１は時計本体の母材であり、図示しない減速輪列類や巻真による時刻修正機構である裏回りといった、時計の構成要素を保持する部品である地板、２は太陽電池、３は文字板、４は時計を駆動する部品である回路、５は日付を印刷した円盤状部品であり、日付を所定の位置でユーザに表示する回転部材である日板、６及び７は太陽電池２と回路４を電気的に導通させるバネ部品である太陽電池接続バネであり、６が太陽電池の陽極と回路を導通させている太陽電池接続バネ、７が太陽電池の陰極と回路を導通させている太陽電池接続バネである。
【０００８】
図８及び図９においては、文字板３を光を透過する材質で形成し、文字板３と地板１の間に配設した太陽電池２に光を当てることにより発電している。このように、文字板３側に太陽電池２を配設した構造とすることによって、腕への携帯時に時計が露出し、文字板３を通して太陽電池２に光が当たる状態になっていれば常に太陽電池２が発電可能となる。これにより携帯時にも効率の良い充電を行える構造となっている。
【０００９】
また、太陽電池２の地板１側の面には＋電極２ａと−電極２ｂが形成されており、それぞれ太陽電池接続バネ６及び７によって回路４と電気的に導通している。これにより、太陽電池が発電した場合、発生した電流は太陽電池接続バネ６及び７によって回路４に形成されたパターンと導通し、図示しない二次電池に蓄えられる。実際の運針時には二次電池より、いわば小出しに電流を流して図示しない運針用モータを駆動することにより、夜間など、太陽電池２が受光せず発電しない時にも安定した運針を実現している。
【００１０】
また、日板５は地板１と太陽電池２の間に配設されている。ここで太陽電池２は光を通さない材質で形成されているため、完成時計で日付を表示する場所には太陽電池２に日表示窓２ｃを、文字板３に日表示窓３ａを形成することにより、ユーザが現在の日付を確認できるようになっている。
【００１１】
また、地板１の外周側には島形状１ａ〜１ｄが配設されている。また、太陽電池２の外周部には、島形状１ａ〜１ｄと対応する位置に切欠２ｄ〜２ｇが形成されている。ここで、島形状１ａ及び１ｂと、太陽電池２の切欠２ｄ及び２ｅについては、平面隙を最小限に設定してある。これにより地板１に対して太陽電池２の位置規制を行う構造となっている。
【００１２】
また、島形状１ａ〜１ｄの上面は太陽電池２の上面より文字板３側に突出した高さ設定となっており、その上端面は文字板３に当接している。これにより、完成時計状態で太陽電池２と文字板３の間に一定の断面隙を確保し、太陽電池２と文字板３が接触することによって干渉縞が発生することを防止している。また、完成時計に衝撃が加わった際に太陽電池２と文字板３が接触する事を防止している。
【発明が解決しようとする課題】
ここで問題となるのが、ユーザの好みに応じて色々な位置に日付表示をする場合、これらの製品を如何に低コストで生産するかである。
【００１３】
即ち、前述したように、カレンダー機構を具備したアナログ時計の場合、日付の表示位置を３時位置だけではなく、ユーザの好みや完成時計のデザイン上の要望より、任意の位置に設定する必要が生じる。日付の表示位置としては、通常の３時位置以外には４時位置や６時位置が多いが、特殊位置の例としては、８時位置や９時位置、１２時位置といった例も挙げられる。
【００１４】
これら、日付位置が異なる仕様の製品を生産するためには、それぞれの日付表示位置に対応した位置に日表示窓２ｃを配設した太陽電池を新たに設定する必要が生じる。その結果として、日付表示位置が異なる種類の数だけ太陽電池２を新規に設定する必要が生じ、部品の生産コストが増大する原因となる。
【００１５】
これを防止するためには、太陽電池２に日付表示位置の種類だけ日表示窓２ｃを予め配設しておく方法が考えられる。このような形状にしておけば、太陽電池２は、日付表示位置に関わらず全て共通使用が可能となる。しかしながら、文字板３が光を透過する材質で形成されているため、文字板２を通して太陽電池２に配設した日表示窓が透けてしまい、例えば使用しない日表示窓の下に配設したカレンダー部材等が見えてしまい、外観品質が低下してしまう問題点がある。
【００１６】
また、各日付表示位置に対応した日表示窓の数が多くなってしまうと、太陽電池２の発電可能面積が減少してしまい、結果として太陽電池の充電効率が低下する問題点も生じる。
【００１７】
本発明はこれらの問題点を解決すべく、カレンダー機能の日付表示位置が異なる仕様の、複数種類の太陽電池付アナログ電子時計において、太陽電池を新規部品とせず共通使用可能とする構造を実現するものである。
【００１８】
【課題を解決するための手段】
上記問題点を解決するための本発明は、地板と、文字板と、前記地板と前記文字板の間に配設される太陽電池と、当該太陽電池と前記地板の間に配設される表示機構部とを有し、前記地板に設けられた凸部と、前記太陽電池に設けられた位置決め部とにより前記太陽電池の位置規制を行い、前記太陽電池及び前記文字板には前記表示機構部のに対応する窓部を有する太陽電池付電子時計において、前記地板は前記凸部を少なくとも２つ有し、前記太陽電池は前記凸部にそれぞれ対応する位置規制部と更に少なくとも１つの第二位置規制部を有する事を特徴とする。
【００１９】
前記地板は前記文字板の受け面となる凸部を更に有し、前記位置規制部は各凸部に対応する位置にそれぞれ設けられると共に、前記凸部の所定角度離れた位置にそれぞれ第二位置規制部が設けられている事を特徴とする。
【００２０】
少なくとも一つの前記第二位置規制部は、隣接する前記凸部に対応する位置規制部と共通であることを特徴とする。
【００２１】
前記太陽電池の電極と接続する回路基板を有し、前記太陽電池の電極が前記所定角度に対応した大きさを有することを特徴とする。
【００２２】
前記太陽電池の電極と接続する回路基板を有し、前記地板に、前記太陽電池の電極と前記回路基板とを導通する導通部材の位置規制形状を少なくとも二組有する事を特徴とする。
【００２３】
前記導通部材の位置規制形状が、前記太陽電池の電極と前記所定角度離れた位置に設けられている事を特徴とする。
【００２４】
前記少なくとも二組の導通部材の位置規制形状に対応した位置に前記太陽電池の電極と導通する前記回路基板の導通部を有する事を特徴とする。
【００２５】
前記少なくとも二組の導通部は、前記所定角度だけ離れた位置に設けられていることを特徴とする。
【００２６】
前記表記機構部は、日付を表示する回転部材である日板又は曜日を表示する回転部材である曜板で構成されており、更に窓部は日又は曜表示窓であることを特徴とする。
【００２７】
前記表示機構部は、時計中心以外に配置された小針で構成されており、前記窓部は小針の中心軸貫通穴であることを特徴とする。
【００２８】
【発明の実施の形態】
以下に本発明の一実施形態を図を用いて説明する。図１は本発明の一実施形態である、日付表示位置が３時位置仕様の太陽電池付アナログ時計の要部平面図である。なお、図８及び図９と同一構造には同一名称を付してその説明を省略する。
【００２９】
図１において、地板１には島形状１ａ〜１ｄが合計４ヶ所形成してある。ここで、従来例と異なり、この４ヶ所の島形状は９０°の等角度間隔で形成したのが特徴である。また、太陽電池２の外周部には、島形状１ａ〜１ｄと対応する位置に切欠２ｄ〜２ｇを、指針の中心軸を回転中心として３０°回転させた位置に切欠２ｈ〜２ｋを形成した。即ち、本実施形態においては、合計８ヶ所の切欠を形成したのが特徴である。
【００３０】
また、太陽電池２の地板１側の面に＋電極２ａ及び−電極２ｂを形成しているが、図１に示すように、それぞれの電極を時計モジュールの円周方向に延伸し、従来例の電極と比較して大面積の電極としてあるのが特徴である。また、＋電極２ａ及び−電極２ｂの他に、更に＋電極２ｍ及び−電極２ｎを形成した。即ち、この太陽電池２は、通常１組の＋電極と−電極しか形成しないのに対して、複数組の＋電極と−電極を形成したのが特徴である。
【００３１】
地板１に一体成形した１ａ〜１ｄの４本の島形状については、従来例と同じくその上端面で文字板３を保持しているが、島形状１ｃ及び１ｄについては、島形状１ａ及び１ｂと比較して細い径で成形してあり、対応する太陽電池３の切欠形状２ｆ及び２ｇと一定の平面隙を確保しているのが特徴である。また、島形状１ａ及び１ｂは、対応する太陽電池３の切欠形状２ｄ及び２ｅとの平面隙を最小限としてある。これにより、太陽電池２は、切欠形状２ｄ及び２ｅの２ヶ所が地板１の島形状１ａ及び１ｂと近接することにより太陽電池２の位置規制を行っている。
【００３２】
ここで、太陽電池２に形成した４ヶ所の切欠形状２ｄ〜２ｇについては、時計の中心に対して互いに９０°の角度をなす位置に形成されているが、更に全て時計中心に対して全く同一の形状で形成したのが特徴である。即ち、これらの切欠形状は全て島形状１ａ及び１ｂに対して位置規制部分として利用する事が可能となっている。
【００３３】
その概略を以下に説明する。図２は日付表示位置が６時位置仕様の太陽電池付アナログ時計モジュールの要部平面図である。図２に示す時計モジュールは、図１に示す時計モジュールに対して、日付の表示位置が変更となっている関係上、６時の位置において日付が正常に表示されるように日板５の印刷書式を変更しているが、それ以外の構成部品は、太陽電池２を含めて全て図１に示す時計モジュールの部品を流用可能となっているのが特徴である。
【００３４】
即ち、図１においては太陽電池２は、切欠２ｄ及び２ｅを地板１の島形状１ａ及び１ｂに近接させることによって位置規制を行っている。これに対して図２の日付表示位置が異なる仕様の時計モジュールにおいては、太陽電池を９０°回転させ、その外周部の切欠形状２ｇ及び２ｆを島形状１ａ及び１ｂに近接させることによって位置規制を行っているのが特徴である。これにより、太陽電池２を使用して、太陽電池２に配設した日表示窓２ｃを３時位置から６時位置に移動し、日板５の印刷仕様の変更のみで日付の表示位置が異なる仕様の製品とする事が可能となる。
【００３５】
ここで、太陽電池２と回路４は、太陽電池接続バネ６及び７を介して電気的に導通しているが、太陽電池２を回転する事により日表示窓２ｃを移動すると、地板１及び回路４と太陽電池２の相対位置関係が変化する。この結果、太陽電池２の電極２ａ及び２ｂと太陽電池接続バネ６及び７の導通がとれなくなってしまう。
【００３６】
これに対して、本実施形態では、図１に示す、日付表示位置が３時位置仕様の製品の場合、太陽電池２は、＋電極２ａ及び−電極２ｂが太陽電池接続バネ６及び７を介して回路４上に形成されたパターンと電気的に導通している。これに対して、図２に示す、日付を６時位置に表示する仕様の製品の場合、前述したように太陽電池２を９０°回転させて組み込む為、＋電極２ｍ及び−電極２ｎが太陽電池接続バネ６及び７を介して回路４上に形成されたパターンと電気的に導通する構造となっている。
【００３７】
このように、太陽電池２の位置規制を行うために、その外周部に形成した切欠形状を同一の形状で複数箇所形成し、更に電極をも複数組形成することによって、日付の表示位置が異なる仕様の複数種類の製品において太陽電池２を共通使用し、部品の汎用化を実現することが可能となった。
【００３８】
次に、日付表示位置が４時位置仕様の時計モジュールに太陽電池２を組み込んだ場合について説明する。図３は日付の表示位置が４時位置仕様の太陽電池付アナログ時計モジュールの要部平面図である。
【００３９】
前述したように、太陽電池２に形成した＋電極２ａ及び−電極２ｂの一組の電極については、各電極の形状を大きく設定してあるのが特徴である。これにより、図４に示す４時位置で、太陽電池２を回転させて組み込む事により、日表示窓２ｃを４時位置に移動し、太陽電池２を共通使用することが可能となった。
【００４０】
即ち、太陽電池２の外周部には、切欠２ｄ〜２ｇの４ヶ所の切欠を３０°回転させた位置に、別の切欠２ｈ〜２ｋが形成されている。これにより、日表示窓２ｃを４時位置に移動する場合は、図１では切欠２ｄ及び２ｅと地板１の島形状１ａ及び１ｂで太陽電池２の位置規制を行っていたのを、図３では切欠２ｋ及び２ｊと地板１の島形状１ａ及び１ｂで位置規制を行ったのが特徴である。これにより、図１と図３に示す日付表示位置が異なる複数種類の時計において、地板１及び太陽電池２を共通で日表示窓２ｃを４時位置に移動させることが可能となった。
【００４１】
また、太陽電池２の＋電極２ａ及び−電極２ｂについては、太陽電池２を３０°回転させても太陽電池接続バネ６及び７の真上に＋電極２ａ及び−電極２ｂが来る位置まで電極の範囲を延伸してある。図１に示す日付表示位置が３時位置仕様の場合と、図３に示す日付表示位置が４時位置仕様の場合、太陽電池２の回転角度は３０°であるため、太陽電池２を３０°回転させても、太陽電池接続バネ６及び７と＋電極２ａ及び−電極２ｂの導通が切断されることはない。
【００４２】
なお、日付表示位置が４時位置の場合、図３に示すように、太陽電池２の分割線が３０°傾いた状態となるが、太陽電池２の表面に太陽電池の発電部と同色の印刷を施せば、完成時計の状態ではこの分割線を全く目立たなくすることが可能であるため、外観品質上も問題はない。
【００４３】
このように、太陽電池２の位置規制用の切欠を等角度間隔で配設し、更に電極を複数組形成することによって、日付表示位置が異なる仕様の複数種類の時計モジュールにおいて、太陽電池２を共通で使用することが可能となった。
【００４４】
次に、本発明の第二の実施形態について説明する。
【００４５】
図４及び図５は本発明の第二の実施形態であり、図４は日付表示位置が３時位置仕様の太陽電池付アナログ時計モジュールの要部平面図、図５は日付表示位置が６時位置の太陽電池付アナログ時計モジュールの要部平面図である。
【００４６】
図４において、地板１の外周部近傍に太陽電池接続バネ６及び７の位置規制の為の穴１ｅ及び１ｆを形成しているが、更に穴１ｅ及び１ｆと同径の穴１ｇ及び１ｈを追加したのが特徴である。また、穴１ｇ及び１ｈは、穴１ｅ及び１ｆを時計中心を回転中心として９０°回転させた位置に形成したのが特徴である。また、穴１ｇの真上に配置された回路４には、穴１ｅと導通するパターンを延伸し、穴１ｈの真上に配置された回路４には、穴１ｆと導通するパターンを延伸してあるのが特徴である。
【００４７】
図１に示した第一の実施形態では、＋電極２ａ及び−電極２ｂとは別に＋電極２ｄ及び−電極２ｅを配置していた。これに対して本実施形態では、電極は＋電極２ａ及び−電極２ｂの一組しか配設していない。しかしながら、図５に示すように太陽電池２を９０°回転させて日表示窓２ｃが６時の位置にくるように配置した際、穴１ｇ及び１ｈが＋電極２ａ及び−電極２ｂの真上に来るのが特徴である。
【００４８】
この場合、この太陽電池２を使用して日付表示位置が６時位置仕様の製品を組み立てる際は、太陽電池接続バネ６及び７を穴１ｇ及び１ｈによってそれぞれ位置規制を行う。即ち、日付表示位置が６時位置の場合、太陽電池接続バネ６は穴１ｇによって位置規制を行う。また、太陽電池接続バネ７は穴１ｈによって位置規制を行う。穴１ｇ及び１ｈの真上の回路４には、穴１ｅ及び１ｆと導通するパターンが形成されているため、太陽電池接続バネ６及び７と回路４は導通確保することが可能である。
【００４９】
このように、太陽電池２を回転させて＋電極２ａ及び−電極２ｂが移動した場合でも、太陽電池２の回転角と同じ角度間隔で太陽電池接続バネ位置規制穴１ｇ及び１ｈを形成し、回路４のパターンも太陽電池位置規制穴１ｇ及び１ｈの真上まで延伸しておけば、太陽電池接続バネ６及び７の組込位置を変更可能となる。この結果、日付表示位置が異なる仕様の複数種類の製品においても、地板１、太陽電池２、回路４を共通で使用することが可能となる。
【００５０】
続いて本発明の第三の実施形態について説明する。
【００５１】
図６は、３時位置、６時位置、９時位置にそれぞれ日付、曜日、２４時間表示を示す小針を配設した、太陽電池付多針アナログ時計の要部平面図である。また、図７は、６時位置、９時位置、１２時位置にそれぞれ小針を配設した太陽電池付多針アナログ時計の要部平面図である。
【００５２】
図６において、２ｐは日付表示小針の中心軸を貫通させる逃げ穴、２ｒは曜日表示小針の中心軸を貫通させる逃げ穴、２ｓは２４時間表示小針の中心軸を貫通させる逃げ穴である。
【００５３】
図６においても、図１に示した例と同様に、太陽電池２の位置規制の為の切欠を２ｄ〜２ｇの合計４ヶ所配設し、更に各切欠を９０°の等角度間隔で配置したのが特徴である。また、＋電極２ａを９０°回転した位置に＋電極２ｍを、−電極２ｂを９０°回転した位置に−電極２ｎを配置したのが特徴である。
【００５４】
この太陽電池２をカレンダー表示用の小針位置が異なる仕様の時計モジュールに組み込んだ場合を図７に示す。図６の場合は切欠２ｄ及び２ｅで太陽電池２の位置規制を行い、太陽電池２は＋電極２ａ及び−電極２ｂで回路４と導通している。これに対して、図７の場合は、図６の例と比較して太陽電池２が９０°回転しているため、切欠２ｇ及び切欠２ｈで太陽電池２の位置規制を行い、太陽電池２は＋電極２ｍ及び−電極２ｎによって回路４と導通している。
【００５５】
このように、日付表示位置が異なる仕様の、複数種類のカレンダー付の太陽電池付アナログ時計だけではなく、カレンダー表示用の小針やクロノグラフ機能を具備した多針、或いは多機能の太陽電池付アナログ時計、或いは午前／午後の表示を行う回転部材を具備したアナログ時計等に関しても、時計中心からの距離が同一であれば本発明は適用可能である。即ち、本発明の応用範囲は極めて広く、その効果は大きいといえる。
【００５６】
【発明の効果】
以上のように、本発明においては、日付の表示位置が異なる仕様の複数種類のカレンダー付の太陽電池付アナログ時計において、従来日付の表示位置が異なることでそれぞれ新規で製作していた太陽電池を、日付の表示位置が異なる角度分だけ回転させた状態で組み込むことにより共通で使用し、部品コストの発生を抑制する方法を提示した。
【００５７】
具体的には、太陽電池に回路と導通させる電極を複数組形成し、更に太陽電池の平面位置規制用の切欠形状についても複数組形成した。また、地板に太陽電池の位置規制を行う島形状を複数組形成し、太陽電池の位置決めを行う際はそのうちの２ヶ所を任意で使用できる状態とした。これによって日付の表示位置が異なる仕様の別種類の製品に本太陽電池を組み込む場合は、基準となる３時位置からある角度だけ回転させた状態で組み込むことにより、太陽電池を共通で使用する構造を提示した。
【００５８】
また、太陽電池下面側に形成した回路と導通するための電極形状を円周方向に大きく形成する構造を提示した。これにより、本太陽電池を日付の表示位置が異なる仕様の製品に組み込む場合に、共通の太陽電池を回転させた状態で組み込めば、太陽電池を共通で使用可能となる方法を提示した。
【００５９】
また、地板に太陽電池接続バネの位置規制用の穴を複数組形成しておき、また回路に太陽電池接続バネと導通するための導通パターンを複数組形成しておく構造を提示した。これにより、太陽電池を日付の表示位置が異なる仕様の製品に組み込む場合、太陽電池接続バネの組込位置も同時に変更することにより、日付の表示位置が異なる仕様の複数種類の太陽電池付アナログ時計において、太陽電池の電極が一組の場合でも太陽電池を共通で使用する構造を提示した。
【００６０】
また、カレンダー表示を小針で行う仕様の、太陽電池付多針アナログ時計において、本構造を適用すれば、小針の位置が異なる仕様の複数種類の製品においても同様に太陽電池を共通使用可能である事を提示した。
【００６１】
【図面の簡単な説明】
【図１】本発明の第一の実施形態を示す、日付表示位置が３時位置の太陽電池付電子時計の要部平面図である。
【図２】本発明の第一の実施形態を示す、日付表示位置が６時位置の太陽電池付電子時計の要部平面図である。
【図３】本発明の第一の実施形態を示す、日付表示位置が４時位置の太陽電池付電子時計の要部平面図である。
【図４】本発明の第二の実施形態を示す、日付表示位置が３時位置の太陽電池付電子時計の要部平面図である。
【図５】本発明の第二の実施形態を示す、日付表示位置が６時位置の太陽電池付電子時計の要部平面図である。
【図６】本発明の第三の実施形態を示す、３時位置、６時位置、９時位置に配設した小針でカレンダー表示を行う太陽電池付多針アナログ時計の要部平面図である。
【図７】本発明の第三の実施形態を示す、６時位置、９時位置、１２時位置に配設した小針でカレンダー表示を行う太陽電池付多針アナログ時計の要部平面図である。
【図８】従来の太陽電池付電子時計の要部平面図である。
【図９】従来の太陽電池付電子時計の要部断面図である。
【符号の説明】
１  地板
１ａ  太陽電池位置規制島形状
１ｂ  太陽電池位置規制島形状
１ｃ  文字板受面
１ｄ  文字板受面
１ｅ  太陽電池接続バネ（＋）位置規制穴
１ｆ  太陽電池接続バネ（−）位置規制穴
１ｇ  太陽電池接続バネ（＋）位置規制穴
１ｈ  太陽電池接続バネ（−）位置規制穴
２  太陽電池
２ａ  ＋電極
２ｂ  −電極
２ｃ  日表示窓
２ｄ  日付３時位置表示仕様時の太陽電池位置規制切欠
２ｅ  日付３時位置表示仕様時の太陽電池位置規制切欠
２ｆ  日付６時位置表示仕様時の太陽電池位置規制切欠
２ｇ  日付６時位置表示仕様時の太陽電池位置規制切欠
２ｈ  日付４時位置表示仕様時の逃げ切欠
２ｉ  日付４時位置表示仕様時の逃げ切欠
２ｊ  日付４時位置表示仕様時の太陽電池位置規制切欠
２ｋ  日付４時位置表示仕様時の太陽電池位置規制切欠
２ｍ  ＋電極
２ｎ  −電極
２ｐ  カレンダー表示用小針中心軸逃げ穴
２ｒ  カレンダー表示用小針中心軸逃げ穴
２ｓ  カレンダー表示用小針中心軸逃げ穴
３  文字板
３ａ  日表示窓
４  回路
５  日板
６  太陽電池接続バネ（＋）
７  太陽電池接続バネ（−）
【図１】
0004603666.tif 000002
【図２】
0004603666.tif 000003
【図３】
0004603666.tif 000004
【図４】
0004603666.tif 000005
【図５】
0004603666.tif 000006
【図６】
0004603666.tif 000007
【図７】
0004603666.tif 000008
【図８】
0004603666.tif 000009
【図９】
0004603666.tif 000010